(57)【要約】【課題】保管や運搬等の際に連結棒が紛失することなく、かつ、連結棒を吊り枠体とパレットの挿入口に容易に差込むことができると共に、吊り枠体とパレットとを確実に連結することができるパレット用吊り枠を提供すること。【解決手段】複数の構造材を組んで構成した吊り枠体１１と、パレットと吊り枠体１１とを連結するための少なくとも２本の連結棒１２とを備え、吊り枠体１１にはパレットを取り囲むように設置した際の吊り枠体１１におけるパレットの挿入口に相当する位置に連結棒１２を差込むための第１差込部１１ｆが設けられていると共に、その第１差込部１１ｆには連結棒１２が回動可能なガイドピン１１ｆ１が設けられている一方、吊り枠体１１における第１差込部１１ｆが設けられた位置に対し水平方向で対向する位置には、第１差込部１１ｆとパレットの挿入口に差込まれた連結棒１２の先端部が挿入可能な第２差込部１１ｇを設ける。【選択図】図１
2015120532.tif 000002
【特許請求の範囲】
【請求項１】
荷物を積載するパレットを取り囲むように設置して当該パレットと連結し、そのパレットと共に吊り上げ可能に構成したパレット用吊り枠であって、
パレットの大きさや形状に合わせて複数の構造材を組んで構成した吊り枠体と、
その吊り枠体とパレットとを連結するための少なくとも２本の連結棒とを備え、
吊り枠体には、パレットを取り囲むように設置した際の当該吊り枠体におけるパレットの挿入口に相当する位置に連結棒を差込むための第１差込部が設けられていると共に、その第１差込部には連結棒が回動可能なガイドピンが設けられている一方、
吊り枠体における第１差込部が設けられた位置に対し水平方向で対向する位置には、第１差込部およびパレットの挿入口に差込まれた連結棒の先端部が挿入可能な第２差込部が設けられ、
連結棒は、その側面に、ガイドピンによって当該連結棒の先端部が第１差込部とパレットの挿入口に差込まれて第２差込部まで案内するガイド部が設けられていると共に、そのガイド部の先端部がガイドピンから抜け出さないように閉塞していることで、吊り枠体と一体化されており、
当該パレット用吊り枠は、パレットに連結していない状態では、連結棒がガイド部の先端側に位置するガイドピンを介して吊り枠体の側面に係止手段により係止可能であることを特徴とするパレット用吊り枠。
【請求項２】
請求項１記載のパレット用吊り枠において、
前記第１差込部には、掛止部が設けられている一方、
前記連結棒の後端部には、前記第１差込部の掛止部に掛止される被掛止部が設けられていることを特徴とするパレット用吊り枠。
【発明の詳細な説明】
【技術分野】
【０００１】
本発明は、パレット上に積載された荷物の落下を防止しながらクレーン等によってパレットと共に吊り上げ可能に構成したパレット用吊り枠に関する。
【背景技術】
【０００２】
パレット上に積載された荷物の落下を防止しながらクレーン等によってそのパレットと共に吊り上げ可能に構成したパレット用吊り枠として、例えば、パレット上に積載された荷物の落下を防止する吊り枠体と、その吊り枠体とパレットとを連結する連結棒とを分離した別体に構成したものを提案している（例えば、特許文献１参照。）。このパレット用吊り枠では、荷物が積載されたパレットの上にクレーン等によって吊り枠体を移動し、吊り枠体とパレットの挿入口に連結棒を通し一体化してパレットと共に吊り上げるようにしている
【先行技術文献】
【特許文献】
【０００３】
【特許文献１】特開２００７−２９０７７３号公報
【発明の概要】
【発明が解決しようとする課題】
【０００４】
しかしながら、上述の特許文献１のパレット用吊り枠では、吊り枠体と連結棒とは分離した別体の構造であるため、保管や運搬等の際に連結棒が紛失し易いと共に、連結棒を吊り枠体とパレットの挿入口に通す連結作業に手間がかかるという問題があった。
【０００５】
そこで、本発明はこのような問題点に着目してなされたもので、保管や運搬等の際に連結棒が紛失することなく、かつ、連結棒を吊り枠体とパレットの挿入口に容易に差込むことができて、吊り枠体とパレットとを確実に連結することが可能なパレット用吊り枠を提供することを目的とする。
【課題を解決するための手段】
【０００６】
上記目的を達成するため、本発明に係るパレット用吊り枠は、荷物を積載するパレットを取り囲むように設置して当該パレットと連結し、そのパレットと共に吊り上げ可能に構成したパレット用吊り枠であって、パレットの大きさや形状に合わせて複数の構造材を組んで構成した吊り枠体と、その吊り枠体とパレットとを連結するための少なくとも２本の連結棒とを備え、吊り枠体には、パレットを取り囲むように設置した際の当該吊り枠体におけるパレットの挿入口に相当する位置に連結棒を差込むための第１差込部が設けられていると共に、その第１差込部には連結棒が回動可能なガイドピンが設けられている一方、吊り枠体における第１差込部が設けられた位置に対し水平方向で対向する位置には、第１差込部およびパレットの挿入口に差込まれた連結棒の先端部が挿入可能な第２差込部が設けられ、連結棒は、その側面に、ガイドピンによって当該連結棒の先端部が第１差込部とパレットの挿入口に差込まれて第２差込部まで案内するガイド部が設けられていると共に、そのガイド部の先端部がガイドピンから抜け出さないように閉塞していることで、吊り枠体と一体化されており、当該パレット用吊り枠は、パレットに連結していない状態では、連結棒がガイド部の先端側に位置するガイドピンを介して吊り枠体の側面に係止手段により係止可能であることを特徴とする。
ここで、前記第１差込部には、掛止部が設けられている一方、前記連結棒の後端部には、前記第１差込部の掛止部に掛止される被掛止部が設けられているとさらに良い。
【発明の効果】
【０００７】
本発明に係るパレット用吊り枠では、連結棒は、その側面に第１差込部に設けられたガイドピンによって当該連結棒の先端部が第１差込部とパレットの挿入口に差込まれて第２差込部まで案内するガイド部が設けられていると共に、そのガイド部の先端部をガイドピンから抜け出さないように閉塞して吊り枠体と一体化させているため、保管や運搬等の際に連結棒が紛失することを防止できる。
また、パレット用吊り枠をパレットに連結する場合には、第１差込部に設けられたガイドピンと連結棒の側面に設けられたガイド部によって連結棒の先端部が案内されながら第１差込部から差込まれ、パレットの挿入口を通して第２差込部まで差込めるため、連結棒を吊り枠体とパレットに容易かつ確実に連結することが可能となり、その作業性が向上する。
【図面の簡単な説明】
【０００８】
【図１】（ａ），（ｂ）それぞれ本発明に係る実施形態のパレット用吊り枠の正面図、Ａ部分の拡大図である。
【図２】（ａ），（ｂ）それぞれ本発明に係る実施形態のパレット用吊り枠の左側面図、Ｂ部分の拡大図である。
【図３】（ａ），（ｂ）それぞれ本発明に係る実施形態のパレット用吊り枠の平面図、Ｃ部分の拡大図である。
【図４】（ａ），（ｂ）それぞれ実施形態のパレット用吊り枠を構成する連結棒の正面図、右側面図である。
【図５】（ａ），（ｂ）それぞれ実施形態のパレット用吊り枠を構成する連結棒の底面図、平面図である。
【図６】実施形態のパレット用吊り枠をクレーンにより吊り上げてパレットの上方に移動させた状態を示す正面図である。
【図７】実施形態のパレット用吊り枠をクレーンにより吊り上げてパレットの上方に移動させた状態を示す左側面図である。
【図８】（ａ），（ｂ）それぞれ実施形態のパレット用吊り枠をクレーンにより吊り上げてパレットを取り囲むように設置して連結棒の係止フック（係止手段）を外した状態を示す平面図、Ｄ部分の拡大図である。
【図９】実施形態のパレット用吊り枠をクレーンにより吊り上げてパレットを取り囲むように設置して連結棒の係止フック（係止手段）を外した状態を示す正面図である。
【図１０】（ａ），（ｂ）それぞれ実施形態のパレット用吊り枠をクレーンにより吊り上げてパレットを取り囲むように設置して連結棒の係止フック（係止手段）を外した状態を示す正面図、Ｅ部分の拡大図である。
【図１１】実施形態のパレット用吊り枠をパレットを取り囲むように設置して連結棒を第１差込部から差込み第２差込部まで完全に差込まれた状態を示す正面図である。
【図１２】（ａ），（ｂ）それぞれ図１１におけるＦ部分の拡大図、Ｇ部分の拡大図である。
【図１３】実施形態のパレット用吊り枠をパレットを取り囲むように設置して連結棒を第１差込部から差込み第２差込部まで完全に差込まれた状態を示す平面図である。
【発明を実施するための形態】
【０００９】
以下、本発明に係る実施形態のパレット用吊り枠１について説明する。このパレット用吊り枠１は、後述する図６以降に示すようにフォークリフトのフォークがそれぞれ挿入される２つの各挿入口２１を有するパレット２を取り囲むように設置して当該パレット２と連結し、そのパレット２と共に吊り上げ可能に構成したもので、吊り枠体１１と、２本の連結棒１２とを有している。
【００１０】
＜吊り枠体１１の構成＞
吊り枠体１１は、パレット２を取り囲むように設置するため、例えば、パレット２の形状や大きさに合わせてそのパレット２の四隅に対応する位置から立設する４本の縦構造材１１ａと、その４本の縦構造材１１ａの下部間にそれぞれ接合された４本の下部横構造材１１ｂと、その４本の縦構造材１１ａの上部間にそれぞれ接合された４本の上部横構造材１１ｃとにより枠組みされると共に、吊り枠体１１の前後左右の４側面を構成する各構造材１１ａ〜１１ｃで取り囲まれた範囲の間に網部１１ｄを設けている。従って、この吊り枠体１１は、底面と天井面が開放された構成となる。
【００１１】
尚、以上説明した吊り枠体１１の構成は、あくまで一例であり、それ以外に別途、の縦構造材１１ａや横構造材１１ｂ，１１ｃが設けられていても良いし、さらには縦構造材１１ａ間や天井面にブレース等を設けても良い。また、網部１１ｄに代わって板状のパネルを用いたものでも良い。また、上述のように折り畳み不可に構成したものでも、折り畳み式でも良く、要は、パレット２と連結して吊り上げた際にパレット２上に積載された荷物の落下を防止できるものであれば、その構造は問わない。また、パレット２は、木製でもプラスチック製のどちらでも良く、後述する２本の連結棒１２がそれぞれ挿入される挿入口２１を有していれば良い。
【００１２】
吊り枠体１１における２本の連結棒１２が設けられる側の上部横構造材１１ｃと、その上部横構造材１１ｃに対向する上部横構造材１１ｃには、図１〜図３に示すようにそれぞれ、クレーン（図示せず。）等から延びるワイヤ３先端のフック３ａ(図６以降参照。)が掛止される吊り部１１ｃ１を設けている。
【００１３】
また、吊り枠体１１における２本の連結棒１２が設けられる側の上部横構造材１１ｃには、それぞれ、図３（ｂ）等に示すように連結棒１２が吊り枠体１１の側面に係止される係止手段としての係止フック１１ｅが設けられている。係止フック１１ｅは、スプリング１１ｅ１で付勢されており、連結棒１２の係止状態を維持できるよう構成されている。なお、係止手段の構成は、このような係止フック１１ｅに限られるものではなく、ピンを用いたり、ワイヤ、紐、Ｓ字状フックなどを用いたものでも良く、要は、連結棒１２を吊り枠体１１に係止状態を維持できるものであれば良い。
【００１４】
また、吊り枠体１１における２本の連結棒１２が設けられる側の下部横構造材１１ｂには、各連結棒１２の先端部に位置する箇所に、連結棒１２が差込まれる第１差込部１１ｆが設けられている。
【００１５】
第１差込部１１ｆの左右内側面には、それぞれ、後述する連結棒１２の一対のガイド部１２ｂが係合すると共に、連結棒１２の抜け出しを防止する一対のガイドピン１１ｆ１が設けられている。
【００１６】
また、第１差込部１１ｆの上側面には、それぞれ、図１（ｂ）や図２（ｂ）等に示すように、各連結棒１２の後端部に設けられた被掛止部１２１に掛止するための掛止部１１ｆ２が設けられている。
【００１７】
また、第１差込部１１ｆが設けられた下部横構造材１１ｂに水平方向に対向する位置の下部横構造材１１ｂには、各連結棒１２の先端部が差込まれる第２差込部１１ｇが設けられている。
【００１８】
＜連結棒１２の構成＞
２本の連結棒１２は、それぞれ、吊り枠体１１の各第１差込部１１ｆから差込まれてパレット２の挿入口２１、第２差込部１１ｇまで差込まれるもので、パレット２の一辺より長尺であって、吊り枠体１１の縦構造材１１ａ間の長さとほぼ同じか若干長く構成されており、図５（ａ），（ｂ）に示すように断面が長方形状で中空の連結棒本体１２ａと、その連結棒本体１２ａの両側に溶接などして設けられ、第１差込部１１ｆの左右内側面に対向するように設けられた一対のガイドピン１１ｆ１が遊嵌してガイドする断面コ字状の一対のガイド部１２ｂとから構成されている。
【００１９】
各連結棒１２の後端部（上端部）には、図４（ａ），（ｂ）に示すように、第１差込部１１ｆの上側面の掛止部１１ｆ２に掛止される被掛止部１２１が設けられている。また、各連結棒１２の先端部には、各第１差込部１１ｆに設けられた一対のガイドピン１１ｆ１から抜け出さないように閉塞したキャップ部１２２が設けられている。
【００２０】
そのため、各連結棒１２は、後述するように各係止フック１１ｅで吊り枠体１１の側面に係止された状態でも、各第１差込部１１ｆに設けられた一対のガイドピン１１ｆ１と常に係合された状態にある。
【００２１】
＜パレット用吊り枠１をパレット２に連結して吊り上げるまでの手順＞
次に、本実施形態のパレット用吊り枠１をクレーン等により吊り上げてパレット２を取り囲むように設置してパレット２に連結し、パレット２と共に吊り上げるまでの手順について説明する。
【００２２】
まず、図６および図７に示すように、クレーン（図示せず。）等にから吊り下げられるワイヤ３の先端部のフック３ａを本実施形態のパレット用吊り枠１の吊り部１１ｃ１に掛止してパレット用吊り枠１を吊り上げ、パレット２の上方に移動させる。
【００２３】
次に、作業者は、いずれか一方の連結棒１２の後端部に係止されている上部横構造材１１ｃに設けられた係止フック１１ｅをスプリング１１ｅ１の付勢力に相反する方向に引いて、図８（ａ），（ｂ）に示すように上部横構造材１１ｃに係止されていた連結棒１２を解除する。
【００２４】
すると、連結棒１２の後端部は吊り枠体１１の上部横構造材１１ｃから離間自在になり、その連結棒１２の先端部はそれぞれ対応する第１差込部１１ｆの一対のガイドピン１１ｆ１に遊嵌しているため、その連結棒１２は一対のガイドピン１１ｆ１を中心に回動可能になる。そのため、図９に示すように連結棒１２を上部横構造材１１ｃから離間し、回動させることで、図１０（ａ），（ｂ）に示すように連結棒１２がパレット２と平行になり、連結棒１２の先端部が第１差込部１１ｆやパレット２の挿入口２１に一致するので、各連結棒１２を図１０（ａ），（ｂ）上、左方向から右方向へ押し出す。
【００２５】
すると、連結棒１２の先端部は、対応する第１差込部１１ｆからパレット２の挿入口２１を通り、図１１に示すように第２差込部１１ｇまで差込まれて、図１２（ａ）に示すようにキャップ部１２２の先端が第２差込部１１ｇからわずかに突出する。
【００２６】
その一方、差込まれた連結棒１２の後端部において、その上面の外側に設けられた被掛止部１２１は、図１２（ｂ）に示すように、第１差込部１１ｆの上側の内面に設けられた掛止部１１ｆ２に掛止することで、第１差込部１１ｆやパレット２の挿入口２１、第２差込部１１ｇに差込まれた連結棒１２が抜け出さないようにする。
【００２７】
以後、他方の連結棒１２も同様な手順でそれに対応する第１差込部１１ｆやパレット２の挿入口２１、第２差込部１１ｇに差込み、その被掛止部１２１を第１差込部１１ｆの掛止部１１ｆ２に掛止させる。
【００２８】
以上のような手順により、２本の連結棒１２によって吊り枠体１１とパレット２とを連結させた状態で吊り上げることができる。
【００２９】
従って、本実施形態のパレット用吊り枠１では、各連結棒１２は、その側面に、第１差込部１１ｆに設けられた一対のガイドピン１１ｆ１によって第２差込部１１ｇまで案内する一対のガイド部１２ｂが設けられていると共に、各ガイド部１２ｂの先端部を一対のガイドピン１１ｆ１から抜け出さないようにキャップ部１２２によって閉塞して吊り枠体と一体化されているため、保管や運搬等の際に連結棒１２が紛失することを防止できる。
【００３０】
さらに、連結棒１２が差込まれる第１差込部１１ｆには、その連結棒１２が回動可能なガイドピン１１ｆ１を設けているため、吊り枠体１１をパレット２に連結していない状態では、各連結棒１２の一対のガイド部１２ｂの先端側に位置する一対のガイドピン１１ｆ１を介して吊り枠体１１の側面に係止フック１１ｅにより係止させておくことができ、連結棒１２を吊り枠体１１にコンパクトに固定することができる。
【００３１】
また、パレット用吊り枠１をパレット２に連結する場合には、各第１差込部１１ｆに設けられた一対のガイドピン１１ｆ１と、各連結棒１２の側面に設けられた一対のガイド部１２ｂとによって、各連結棒１２の先端部を案内しながらそれぞれ対応する第１差込部１１ｆから差込み、パレット２の各挿入口２１を通して第２差込部１１ｇまで差込むことができる。このとき、各第１差込部１１ｆの一対のガイドピン１１ｆ１によって各連結棒１２の一対のガイド部１２ｂに嵌って案内されるので、各連結棒１２が左右に振れることなく第２差込部１１ｇまで差込むことができる。
【００３２】
そのため、各連結棒１２を吊り枠体１１とパレット２の各挿入口２１に容易に差込むことができると共に、吊り枠体１１とパレット２とを確実に連結することが可能となり、その作業性が向上する。
【００３３】
また、本実施形態の吊り枠体１１では、２本の各連結棒１２が吊り枠体１１の同じ面に設けられているので、その面において各連結棒１２の差込み作業を順番に行うことが可能となり、この点でも作業性が向上する。
【００３４】
また、第１差込部１１ｆの上側面には掛止部１１ｆ２が設けられている一方、各連結棒１２の後端部上側面には被掛止部１２１が設けられているため、各連結棒１２がそれぞれ対応する第１差込部１１ｆやパレット２の挿入口２１および第２差込部１１ｇに差込まれた後、各連結棒１２の被掛止部１２１を第１差込部１１ｆの掛止部１１ｆ２に掛止することにより、連結棒１２が抜け出さないように簡単かつ確実に固定することができる。
【００３５】
また、各連結棒１２の長さを吊り枠体１１の縦構造材１１ａ間の長さとほぼ同じか、若干長くし、パレット２を跨ぐように対向する側面の下部横構造材１１ｂに設けられた第１差込部１１ｆと第２差込部１１ｇに各連結棒１２を差込んで吊り枠体１１とパレット２とを連結するため、パレット２を吊り上げた際に、荷物の安定性を保ったまま作業を行うことができる。
【００３６】
なお、本実施例では、吊り枠体１１の一方の側面に２本の連結棒１２を備えたパレット用吊り枠１について説明してきたが、吊り枠体１１の一方の側面に３本の連結棒１２を備えたものや、吊り枠体１１の一方の側面とそれに対向する位置にある他方の側面にそれぞれ連結棒１２を備えたものであっても良く、前者のパレット用吊り枠１の場合には、挿入口２１が３つあるパレット２と連結する際に好適である。また、本実施例のパレット用吊り枠１であっても当然、挿入口２１が３つあるパレット２も適用可能であり、その場合、吊り枠体１１に設けられる第１差込部１１ｆは、３つの挿入口２１のうち、左右両側の挿入口２１に相当する位置にあれば良い。
【符号の説明】
【００３７】
１…パレット用吊り枠
１１…吊り枠体
１１ａ…縦構造材
１１ｂ…下部横構造材
１１ｃ…上部横構造材
１１ｃ１…吊り部
１１ｄ…網部
１１ｅ…係止フック（係止手段）
１１ｆ…第１差込部
１１ｆ１…ガイドピン
１１ｆ２…掛止部
１１ｇ…第２差込部
１２…連結棒
１２ａ…連結棒本体
１２ｂ…ガイド部
１２１…被掛止部
１２２…キャップ部
２…パレット
２１…挿入口
【図１】
2015120532.tif 000003
【図２】
2015120532.tif 000004
【図３】
2015120532.tif 000005
【図４】
2015120532.tif 000006
【図５】
2015120532.tif 000007
【図６】
2015120532.tif 000008
【図７】
2015120532.tif 000009
【図８】
2015120532.tif 000010
【図９】
2015120532.tif 000011
【図１０】
2015120532.tif 000012
【図１１】
2015120532.tif 000013
【図１２】
2015120532.tif 000014
【図１３】
2015120532.tif 000015